Podtech/llm-jp-corpus-v4-ja_patent huggingface dataset:
【手続補正書】
【提出日】平成15年10月29日(2003.10.29)
【手続補正１】
【補正対象書類名】明細書
【補正対象項目名】発明の名称
【補正方法】変更
【補正の内容】
【発明の名称】光ディスク装置及び光ディスクの記録方法
【手続補正２】
【補正対象書類名】明細書
【補正対象項目名】特許請求の範囲
【補正方法】変更
【補正の内容】
【特許請求の範囲】
【請求項１】
第１のビデオ信号をデータ圧縮処理して第１の符号化データを生成する第１のデータ処理手段と、
前記第１のビデオ信号と同時並列的に入力される第２のビデオ信号を、前記第１のデータ処理手段に対応するデータ処理によりデータ圧縮処理して第２の符号化データを生成する第２のデータ処理手段と、
前記第１及び第２の符号化データを前記光ディスクに記録する記録手段と
を備えることを特徴とする光ディスク装置。
【請求項２】
前記第１及び第２のデータ処理手段は、
前記第１及び第２の符号化データが同一のデータ量になるように、前記第１及び第２のビデオ信号をデータ圧縮する
ことを特徴とする請求項１に記載の光ディスク装置。
【請求項３】
前記第２のデータ処理手段は、
前記第１の符号化データのデータ量に比して、第２の符号化データのデータ量が低下するように、前記第２のビデオ信号をデータ圧縮する
ことを特徴とする請求項１に記載の光ディスク装置。
【請求項４】
前記光ディスクの所定領域に、
前記第１及び第２の符号化データの管理用データを記録する
ことを特徴とする請求項１に記載の光ディスク装置。
【請求項５】
前記光ディスクの所定領域に、
前記第１及び第２の符号化データによる編集リストの記録領域が形成された
ことを特徴とする請求項１に記載の光ディスク装置。
【請求項６】
前記記録手段は、
情報記録面を同心円状に分割してなる小領域に、それぞれ前記第１及び第２の符号化データ、前記第１及び第２の符号化データに対応する第１及び第２のオーディオ信号を割り
当てて記録する
ことを特徴とする請求項１に記載の光ディスク装置。
【請求項７】
第１のビデオ信号をデータ圧縮処理して第１の符号化データを生成する第１のデータ処理のステップと、
前記第１のビデオ信号と同時並列的に入力される第２のビデオ信号を、前記第１のデータ処理のステップに対応するデータ処理によりデータ圧縮処理して第２の符号化データを生成する第２のデータ処理のステップと、
前記第１及び第２の符号化データを前記光ディスクに記録する記録のステップと
を備えることを特徴とする光ディスクの記録方法。
【請求項８】
前記第１及び第２のデータ処理のステップは、
前記第１及び第２の符号化データが同一のデータ量になるように、前記第１及び第２のビデオ信号をデータ圧縮する
ことを特徴とする請求項７に記載の光ディスクの記録方法。
【請求項９】
前記第２のデータ処理のステップは、
前記第１の符号化データのデータ量に比して、第２の符号化データのデータ量が低下するように、前記第２のビデオ信号をデータ圧縮する
ことを特徴とする請求項７に記載の光ディスクの記録方法。
【請求項１０】
前記光ディスクの所定領域に、
前記第１及び第２の符号化データの管理用データを記録する
ことを特徴とする請求項７に記載の光ディスクの記録方法。
【請求項１１】
前記光ディスクの所定領域に、
前記第１及び第２の符号化データによる編集リストの記録領域を形成する
ことを特徴とする請求項７に記載の光ディスクの記録方法。
【請求項１２】
前記記録のステップは、
情報記録面を同心円状に分割してなる小領域に、それぞれ前記第１及び第２の符号化データ、前記第１及び第２の符号化データに対応する第１及び第２のオーディオ信号を割り当てて記録する
ことを特徴とする請求項７に記載の光ディスクの記録方法。
【手続補正３】
【補正対象書類名】明細書
【補正対象項目名】０００１
【補正方法】変更
【補正の内容】
【０００１】
【発明の属する技術分野】
本発明は、光ディスク装置及び光ディスクの記録方法に関し、例えば演奏会場等の収録現場で、テレビジョンカメラより得られるビデオ信号を処理するフィールド編集システムに適用することができる。本発明は、同時並列的に得られる第１及び第２のビデオ信号を符号化処理して１の光ディスクに記録することにより、第１及び第２のビデオ信号による素材を容易に管理し、容易にハンドリングできるようにする。


【手続補正４】
【補正対象書類名】明細書
【補正対象項目名】０００７
【補正方法】変更
【補正の内容】
【０００７】
本発明は以上の点を考慮してなされたもので、複数チャンネルのビデオ信号による各素材を容易に管理し、容易にハンドリングすることができる光ディスク装置及び光ディスクの記録方法を提案しようとするものである。


【手続補正５】
【補正対象書類名】図面
【補正対象項目名】図２
【補正方法】変更
【補正の内容】
【図２】
1999136616.tif 000001
【手続補正書】
【提出日】平成15年10月29日(2003.10.29)
【手続補正１】
【補正対象書類名】明細書
【補正対象項目名】発明の名称
【補正方法】変更
【補正の内容】
【発明の名称】光ディスク装置及び光ディスクの記録方法
【手続補正２】
【補正対象書類名】明細書
【補正対象項目名】特許請求の範囲
【補正方法】変更
【補正の内容】
【特許請求の範囲】
【請求項１】
所定のビデオ信号をデータ圧縮処理して第１の符号化データを生成する第１のデータ処理手段と、
前記第１の符号化データに比して発生データ量が小さくなるように、前記ビデオ信号をデータ圧縮処理して第２の符号化データを生成する第２のデータ処理手段と、
前記第１及び第２の符号化データを光ディスクに記録する記録手段と
を備えることを特徴とする光ディスク装置。
【請求項２】
前記光ディスクの所定領域に、
前記第１及び第２の符号化データの管理用データを記録する
ことを特徴とする請求項１に記載の光ディスク装置。
【請求項３】
前記光ディスクの所定領域に、
前記ビデオ信号を編集する編集リストの記録領域が形成された
ことを特徴とする請求項１に記載の光ディスク装置。
【請求項４】
前記記録手段は、
情報記録面を同心円状に分割してなる小領域に、それぞれ前記第１及び第２の符号化データ、前記第１及び第２の符号化データに対応する第１及び第２のオーディオ信号を割り当てて記録する
ことを特徴とする請求項１に記載の光ディスク装置。
【請求項５】
所定のビデオ信号をデータ圧縮処理して第１の符号化データを生成する第１のデータ処理のステップと、
前記第１の符号化データに比して発生データ量が小さくなるように、前記ビデオ信号をデータ圧縮処理して第２の符号化データを生成する第２のデータ処理のステップと、
前記第１及び第２の符号化データを光ディスクに記録する記録のステップと
を備えることを特徴とする光ディスクの記録方法。
【請求項６】
前記光ディスクの所定領域に、
前記第１及び第２の符号化データの管理用データを記録する
ことを特徴とする請求項５に記載の光ディスクの記録方法。
【請求項７】
前記光ディスクの所定領域に、
前記ビデオ信号を編集する編集リストの記録領域を形成する
ことを特徴とする請求項５に記載の光ディスクの記録方法。
【請求項８】
前記記録のステップは、
情報記録面を同心円状に分割してなる小領域に、それぞれ前記第１及び第２の符号化データ、前記第１及び第２の符号化データに対応する第１及び第２のオーディオ信号を割り当てて記録する
ことを特徴とする請求項５に記載の光ディスクの記録方法。
【手続補正３】
【補正対象書類名】明細書
【補正対象項目名】０００１
【補正方法】変更
【補正の内容】
【０００１】
【発明の属する技術分野】
本発明は、光ディスク装置及び光ディスクの記録方法に関し、例えば取材現場で、テレビジョンカメラより得られるビデオ信号を処理するフィールド編集システムに適用することができる。本発明は、１のビデオ信号を符号化処理して１の光ディスクに記録する際に、データ量の異なる２系統の符号化データを生成して記録することにより、素材の管理、ハンドリングを簡略化できるようにする。


【手続補正４】
【補正対象書類名】明細書
【補正対象項目名】０００６
【補正方法】変更
【補正の内容】
【０００６】
本発明は以上の点を考慮してなされたもので、従来に比して素材の管理、ハンドリングを簡略化することができる光ディスク装置及び光ディスクの記録方法を提案しようとするものである。
【手続補正書】
【提出日】平成15年11月26日(2003.11.26)
【手続補正１】
【補正対象書類名】明細書
【補正対象項目名】特許請求の範囲
【補正方法】変更
【補正の内容】
【特許請求の範囲】
【請求項１】
画像表示装置の映像入力信号の各々１フレームに相当する時間内に映像データを非同期に書き込みと読み出しが可能なフレームメモリと、
前記フレームメモリに対する、１フレーム分の前記映像データの書き込みを制御するための書き込み制御部と、
１フレーム分の前記映像データの読み出しを制御する読み出し制御部と、
を備え、
前記フレームメモリは１フレーム分の前記映像データが格納でき、
前記書き込み制御部は、映像入力信号の各々１フレームに相当する時間内に前記映像データの書き込みを１度行い、前記読み出し制御部は、前記フレームメモリ内の同一の前記映像データを２回読み出すようデータの読み出しを制御することを特徴とする映像信号走査変換回路。
【請求項２】
フレーム反転を有する液晶表示装置の映像入力信号の各々１フレームに相当する時間内に映像データを非同期に書き込みと読み出しが可能なフレームメモリと、
前記フレームメモリに対する、１フレーム分の前記映像データの書き込みを制御するための書き込み制御部と、
１フレーム分の前記映像データの読み出しを制御する読み出し制御部と、
を備え、
前記フレームメモリは１フレーム分の前記映像データが格納でき、
前記書き込み制御部は、映像入力信号の各々１フレームに相当する時間内に前記映像データの書き込みを１度行い、前記読み出し制御部は、前記フレームメモリ内の同一の前記映像データを２回読み出すようデータの読み出しを制御することを特徴とする映像信号走査変換回路。
【請求項３】
入力される映像信号の各フレームから、各々１フレーム分に相当する時間内に同じフレームを２回以上連続させる形態の映像信号を順次生成して出力する映像信号走査変換回路であって、
入力される映像情報の少なくとも１フレーム分の映像情報を書き込み可能な容量を有するフレームメモリと、
前記フレームメモリに対して前記入力映像情報の書き込み制御するための書き込み制御部と、
前記フレームメモリに対して入力される前記映像情報の各々１フレーム分に相当する時間内に２回以上連続して前記映像情報を読み出す読み出し制御部と、
を備え、
前記読み出し制御部における１フレームの前記映像情報の第一回目の読み出しは、
前記書き込み制御部により前記フレームメモリに少なくとも１フレームの前記映像情報の２分の１が書き込まれた後に開始し、前記書き込み制御部により前記フレームメモリに１フレームの前記映像情報の全てが書き込まれた後に終了し、
１フレームの前記映像情報の第２回目の読み出し開始は第１回目の読み出し終了後から前記フレームメモリに次の１フレームの前記映像情報が書き込まれる前までの期間に行われることを特徴とする映像信号走査変換回路。
【請求項４】
前記映像信号走査変換回路において、入力される映像信号の各フレームから、各々１フレーム分に相当する時間内に同じフレームを２回連続させる形態の映像信号を順次生成して出力する請求項３に記載の映像信号走査変換回路。
【請求項５】
請求項４に記載の映像信号走査変換回路において、前記読み出し制御部による読み出し速度は、前記書き込み制御部による書き込み速度の２倍であることを特徴とする映像信号走査変換回路。
【請求項６】
映像信号の任意のアドレスの書き込みと読み出しを同時に行える１フレーム分の容量を具備するフレームメモリと、
入力された前記映像信号を前記フレームメモリに書き込む書き込み制御手段と、
前記書き込み制御手段の動作タイミングに基づき、同一フレームの全アドレスの映像信号を前記フレームメモリから２倍の速度で過不足なく２回読み出すように読み出しタイミングを調整した読み出し手段と、
を備えることを特徴とする映像信号走査変換回路。
【手続補正２】
【補正対象書類名】明細書
【補正対象項目名】０００７
【補正方法】削除
【補正の内容】
【手続補正３】
【補正対象書類名】明細書
【補正対象項目名】００１０
【補正方法】変更
【補正の内容】
【００１０】
更に、本発明による映像信号走査変換回路は、前記映像信号走査変換回路において、入力される映像信号の各フレームから、各々１フレーム分に相当する時間内に同じフレームを２回連続させる形態の映像信号を順次生成して出力する。


【手続補正４】
【補正対象書類名】明細書
【補正対象項目名】００１２
【補正方法】変更
【補正の内容】
【００１２】
本発明による映像信号走査変換回路は、映像信号の任意のアドレスの書き込みと読み出しを同時に行える１フレーム分の容量を具備するフレームメモリと、入力された前記映像信号を前記フレームメモリに書き込む書き込み制御手段と、前記書き込み制御手段の動作タイミングに基づき、同一フレームの全アドレスの映像信号を前記フレームメモリから２倍の速度で過不足なく２回読み出すように読み出しタイミングを調整した読み出し手段と、を備えることを特徴とする。
【手続補正書】
【提出日】平成15年12月22日(2003.12.22)
【手続補正１】
【補正対象書類名】明細書
【補正対象項目名】特許請求の範囲
【補正方法】変更
【補正の内容】
【特許請求の範囲】
【請求項１】
フレーム画及びフィールド画の何れかを示す入力画像信号を選択的にノンインターレース化処理する信号処理装置であって、
入力画像信号が示す画像の種類を示す画像属性情報を取得する画像属性取得手段と、
ノンインターレース化処理モードを指定するモード指定手段と、
出力する画像のサイズを指定する出力サイズ指定手段と、
当該画像属性取得手段により取得された当該画像属性情報、当該モード指定指定手段により指定された処理モード、及び当該出力サイズ指定手段により指定された出力画像サイズに従って選択的に、当該入力画像信号をノンインターレース化処理する処理手段
とからなることを特徴とする信号処理装置。
【請求項２】
当該画像属性情報は、当該入力画像信号と共に伝送される請求項１に記載の信号処理装置。
【請求項３】
当該画像属性情報がフレーム画を示す場合、及び、指定された出力画像サイズが元の入力画像サイズよりも一定以上、小さい場合には、当該処理手段は、入力画像信号をノンインターレース化処理しない請求項１又は２に記載の信号処理装置。
【請求項４】
当該画像属性情報がフレーム画を示す場合、当該モード指定手段によりノンインターレース化処理を指示されているときでも、当該処理手段は、当該入力画像信号をノンインターレース化処理しない請求項１に記載の信号処理装置。
【請求項５】
当該画像属性情報がフィールド画を示す場合、当該処理手段は、当該モード指定手段により指定されたモードで当該入力画像信号を処理する請求項１に記載の信号処理装置。
【請求項６】
当該モード指定手段は、当該画像属性情報がフィールド画を示す場合に、ユーザによるノンインターレース化処理の選択を促す請求項１に記載の信号処理装置。
【請求項７】
当該入力画像信号と画像属性情報とは共に同一の記録媒体から再生されたものである請求項１に記載の信号処理装置。
【請求項８】
インターレースの画像信号を入力し、ノンインターレースの画像信号に変換して出力する信号処理装置であって、
出力する画像のサイズを指定する出力サイズ指定手段と、
前記出力サイズ指定手段により指定されたサイズに従い、入力された前記画像信号をノンインターレースの画像信号に変換して出力するか、あるいはインターレースの画像信号のまま出力する処理手段と、
前記処理手段から出力された画像信号のサイズを前記出力サイズ指定手段により指定されたサイズに従って縮小する縮小手段とを備え、
前記処理手段は、前記出力サイズ指定手段により指定されたサイズが前記入力された元の画像信号のサイズに対して閾値よりも小さい場合に前記入力された画像信号をインターレースの画像信号のまま出力し、前記指定されたサイズが前記元の画像信号のサイズに対して閾値よりも大きい場合に前記ノンインターレースの画像信号に変換して出力することを特徴とする信号処理装置。
【手続補正２】
【補正対象書類名】明細書
【補正対象項目名】０００９
【補正方法】変更
【補正の内容】
【０００９】
モード指定手段は、画像属性情報がフィールド画を示す場合に、ユーザによるノンインターレース化処理の選択を促す。
本発明に係る信号処理装置は、インターレースの画像信号を入力し、ノンインターレースの画像信号に変換して出力する信号処理装置であって、出力する画像のサイズを指定する出力サイズ指定手段と、前記出力サイズ指定手段により指定されたサイズに従い、入力された前記画像信号をノンインターレースの画像信号に変換して出力するか、あるいはインターレースの画像信号のまま出力する処理手段と、前記処理手段から出力された画像信号のサイズを前記出力サイズ指定手段により指定されたサイズに従って縮小する縮小手段とを備え、前記処理手段は、前記出力サイズ指定手段により指定されたサイズが前記入力された元の画像信号のサイズに対して閾値よりも小さい場合に前記入力された画像信号をインターレースの画像信号のまま出力し、前記指定されたサイズが前記元の画像信号のサイズに対して閾値よりも大きい場合に前記ノンインターレースの画像信号に変換して出力することを特徴とする。
【手続補正書】
【提出日】平成15年12月11日(2003.12.11)
【手続補正１】
【補正対象書類名】明細書
【補正対象項目名】特許請求の範囲
【補正方法】変更
【補正の内容】
【特許請求の範囲】
【請求項１】
ＲＯＭに記録された遊技プログラムを実行し、遊技の統括的な制御を行うと共に、排出装置を駆動する排出制御装置に賞球制御指令信号を出力する遊技制御装置を備えた遊技機において、
当該遊技機の前面から視認できる位置に表示部を設け、
前記遊技制御装置は、
表示部の表示内容を制御する表示コントロールユニットに接続すると共に、該表示コントロールユニットに対して該表示部の表示内容を送信して制御するように構成し、
当該遊技制御装置のＲＯＭで決定される仕様の情報を表示することを特徴とする遊技機。
【請求項２】
遊技機への電源供給停止時にも、前記表示コントロールユニットに電源を供給するバックアップ電源回路を備え、
前記表示コントロールユニットは、
制御部、ドライバ部、及び外部から書込可能なレジスタを記憶する記憶部を備え、
前記遊技制御装置から残賞球数及び機種仕様情報の信号を受信し、対応するレジスタに記憶し、該レジスタに記憶されたデータを表示することを特徴とする請求項１に記載の遊技機。
【手続補正２】
【補正対象書類名】明細書
【補正対象項目名】０００１
【補正方法】変更
【補正の内容】
【０００１】
【発明が属する技術分野】
本発明は、遊技機の機種の仕様に関する情報を表示する遊技機に関する。


【手続補正３】
【補正対象書類名】明細書
【補正対象項目名】０００３
【補正方法】削除
【補正の内容】
【手続補正４】
【補正対象書類名】明細書
【補正対象項目名】０００４
【補正方法】削除
【補正の内容】
【手続補正５】
【補正対象書類名】明細書
【補正対象項目名】０００５
【補正方法】変更
【補正の内容】
【０００５】
【発明が解決しようとする課題】
上述した遊技機では、遊技制御装置のプログラム（ＲＯＭ）の記憶内容を変更することによって、大当り確率値、確変突入率、入賞口毎の賞球数などの仕様を変更することができるため、外観（外枠、遊技盤、賞球排出機構、制御装置のハードウェアなど）を共通化した同一シリーズの機種であって、互いに性能（大当りの発生頻度など）を異ならせた数パターンの遊技機を用意することができ、低コストで機種の品揃えを豊富にすることができる。そして、外観が類似しているこれら同一シリーズの遊技機であっても、遊技者がそれぞれを個別に識別できる必要がある。
【手続補正６】
【補正対象書類名】明細書
【補正対象項目名】０００６
【補正方法】削除
【補正の内容】
【手続補正７】
【補正対象書類名】明細書
【補正対象項目名】０００７
【補正方法】変更
【補正の内容】
【０００７】
本発明は、プログラムの変更に基づく遊技機の外観では識別不可能な仕様の相違を遊技者に知らせることができる遊技機を提供することを目的とする。


【手続補正８】
【補正対象書類名】明細書
【補正対象項目名】０００８
【補正方法】変更
【補正の内容】
【０００８】
【課題を解決するための手段】
第１の発明は、ＲＯＭに記録された遊技プログラムを実行し、遊技の統括的な制御を行うと共に、排出装置を駆動する排出制御装置に賞球制御指令信号を出力する遊技制御装置を備えた遊技機において、当該遊技機の前面から視認できる位置に表示部を設け、前記遊技制御装置は、表示部の表示内容を制御する表示コントロールユニットに接続すると共に、該表示コントロールユニットに対して該表示部の表示内容を送信して制御するように構成し、当該遊技制御装置のＲＯＭで決定される仕様の情報を表示することを特徴とする。


【手続補正９】
【補正対象書類名】明細書
【補正対象項目名】０００９
【補正方法】変更
【補正の内容】
【０００９】
第２の発明は、第１の発明において、遊技機への電源供給停止時にも、前記表示コントロールユニットに電源を供給するバックアップ電源回路を備え、前記表示コントロールユニットは、制御部、ドライバ部、及び外部から書込可能なレジスタを記憶する記憶部を備え、前記遊技制御装置から残賞球数及び機種仕様情報の信号を受信し、対応するレジスタに記憶し、該レジスタに記憶されたデータを表示することを特徴とする。


【手続補正１０】
【補正対象書類名】明細書
【補正対象項目名】００１０
【補正方法】削除
【補正の内容】
【手続補正１１】
【補正対象書類名】明細書
【補正対象項目名】００１１
【補正方法】削除
【補正の内容】
【手続補正１２】
【補正対象書類名】明細書
【補正対象項目名】００１２
【補正方法】削除
【補正の内容】
【手続補正１３】
【補正対象書類名】明細書
【補正対象項目名】００１３
【補正方法】削除
【補正の内容】
【手続補正１４】
【補正対象書類名】明細書
【補正対象項目名】００１４
【補正方法】削除
【補正の内容】
【手続補正１５】
【補正対象書類名】明細書
【補正対象項目名】００１５
【補正方法】変更
【補正の内容】
【００１５】
【発明の作用および効果】
第１の発明では、遊技機の前面から視認できる位置に表示部を設け、前記遊技制御装置は、表示部の表示内容を制御する表示コントロールユニットに接続すると共に、該表示コントロールユニットに対して該表示部の表示内容を送信して制御するように構成し、当該遊技制御装置のＲＯＭで決定される仕様の情報を表示するので、遊技制御プログラムの変更に基づく遊技機の外観では識別不可能な仕様の相違を遊技者に知らせることができ、仕様毎に異なる内容の表示を付す必要がなくなる。
【手続補正１６】
【補正対象書類名】明細書
【補正対象項目名】００１６
【補正方法】変更
【補正の内容】
【００１６】
第２の発明では、前記遊技制御装置から残賞球数及び機種仕様情報の信号を受信し、対応するレジスタに記憶し、該レジスタに記憶されたデータを表示するので、停電中でも残賞球数が保持されていることを遊技者が認識でき、遊技者が安心して停電復旧を待つことができる。


【手続補正１７】
【補正対象書類名】明細書
【補正対象項目名】００１７
【補正方法】削除
【補正の内容】
【手続補正１８】
【補正対象書類名】明細書
【補正対象項目名】００１８
【補正方法】削除
【補正の内容】
【手続補正１９】
【補正対象書類名】明細書
【補正対象項目名】００１９
【補正方法】削除
【補正の内容】
【手続補正２０】
【補正対象書類名】明細書
【補正対象項目名】００２０
【補正方法】削除
【補正の内容】
【手続補正２１】
【補正対象書類名】明細書
【補正対象項目名】００２１
【補正方法】削除
【補正の内容】
【手続補正書】
【提出日】平成15年12月19日(2003.12.19)
【手続補正１】
【補正対象書類名】明細書
【補正対象項目名】００２１
【補正方法】変更
【補正の内容】
【００２１】
次に、本実施形態の作用について説明する。香料として茶葉やコーヒー豆等の固形芳香物を用いる場合、図７に示すように、皿35の受凹部38が載置凸部34に載るようにして、皿35を香炉本体30の上本体31に載置する。この状態では、皿35は白熱電球10の上方に比較的近い状態で載置されることになる。そして、前記皿35の凹部36に適量の固形芳香物を載せ、図示しないスイッチを操作することで白熱電球10に通電し、この白熱電球10が発する熱によって皿35を加熱する。このとき、前述したように、皿35が白熱電球10の上方に比較的近い状態で載置されているため、皿35、ひいては皿35の凹部36に載せられた固形芳香物は強く加熱されることになる。このようにして、前記固形芳香物に含まれる芳香成分は白熱電球10からの熱によって気化する。また、前記白熱電球10によって香炉本体30内の空気も加熱されて上昇する。そして、この加熱された空気は、上本体31の貫通孔33から凹部32と皿35の間を通って香炉本体30外に放出され、この気流によって、皿35上に滞留している気化した精油が広く拡散することになる。また、凹部32と皿35の間から香炉本体30外に放出された空気を補うように、香炉本体30外の空気が通気孔７から香炉本体30内に流入する。


【手続補正２】
【補正対象書類名】明細書
【補正対象項目名】００２３
【補正方法】変更
【補正の内容】
【００２３】
次に、本発明の第四の実施形態について、図９乃至図１０に基づいて説明する。なお、上記実施形態と共通する部分については同一の符号を付し、その説明を省略する。香炉本体40を構成する上本体41は、下本体２の上縁２ａに載置可能な略蓋状に構成されている。そして、前記上本体41の上部には中央が凹んだ凹部42が形成され、この凹部42の中央に貫通孔43が形成されていると共に、この貫通孔43の内周側には、第一の載置部たる複数の脚載せ部44が形成されている。また、前記上本体41の上縁には、第二の載置部たる複数の突起45が形成されている。そして、前記脚載せ部44は環状等間隔に形成されており、これら脚載せ部44同士の間には、切欠部46が形成されていると共に、前記脚載せ部44同士は、設置状態において同じ高さに形成されている。また、前記突起45は、前記脚載せ部44と同心状に等間隔に形成されていると共に、突起45同士は、設置状態において同じ高さに形成されている。また、前記白熱電球10は、前記香炉本体１内のソケット11に取り付けた際に、前記貫通孔43内に位置するように構成されている。
【手続補正書】
【提出日】平成16年1月13日(2004.1.13)
【手続補正１】
【補正対象書類名】明細書
【補正対象項目名】請求項３
【補正方法】変更
【補正の内容】
【請求項３】
押上げレバーとリンク部材とが段付ネジと長孔とを介して連結されており、中爪の前進が支持片に付設の付勢具に抗して行われている請求項２記載の２本針オーバーロックミシン。
【手続補正２】
【補正対象書類名】明細書
【補正対象項目名】０００５
【補正方法】変更
【補正の内容】
【０００５】
なお、中爪の基端部を、針板の手前で水平軸回りに回動可能に支承された支持片に連結させ、支持片と押上げレバーに連結のリンク部材とをワイヤで接続させるのが望ましい。また、押上げレバーとリンク部材とを段付ネジと長孔とを介して連結させ、中爪の前進を支持片に付設の付勢具に抗して行わせるのが望ましい。さらに、押え金を押え台の先端に回動可能に支承させ、ミシン機枠に回動可能に支承された揺動軸のクランク腕に押え台を連結させ、押上げレバーの操作により押え金を上昇させた時、揺動軸の被係止部を、揺動軸に対して回動可能に支承され押上げレバーに連結された腕の係止部に係合させるのが望ましい。


【手続補正３】
【補正対象書類名】明細書
【補正対象項目名】０００６
【補正方法】変更
【補正の内容】
【０００６】
【作用】
本発明によれば、押上げレバーを操作して押え金を上昇させると、中爪の先端部が針板の開放型針孔より没する。この操作を縫製作業の終了後に行うと、布地に連なる空環の基端部は中爪より容易に抜き出される。そして、作業者が布地を布送り出し側に引張ると、布地に連なる空環は外爪より抜き出される。それから、作業者は、布地を針板の手前側に掛け廻し、針板より手前に配置された空環保持兼切断器で布地に連なる空環を切断させ同時に保持させる。この作業者の操作時において、空環は中爪で支えることなく移動することとなる。また、段部を有する布地の縫製中においては、両係止部の係合状態が変更されるだけで中爪は針板の開放型針孔より没しない。


【手続補正４】
【補正対象書類名】明細書
【補正対象項目名】００１５
【補正方法】変更
【補正の内容】
【００１５】
【発明の効果】
以上のように、本発明によれば、制御装置等を介せず単に押上げレバーの操作のみで中爪を針板の開放型針孔より出没させるので、作業者による布地の操作性を損なうことなく縫製作業後の操作をおこなうことができる。また、中爪と押上げレバーとの連結にワイヤが利用されることで、その構造を安価にすることができる。さらに、段部を有する布地の縫製中においては、両係止部の係合状態が変更されるだけとなるので、中爪が針板の開放型針孔より没しないこととなり、その結果、中爪を利用した縫製を確実に行うことができる。その他、押上げレバーとリンク部材とが長孔と段付ネジとを介して連結されることで、中爪自体が針板の開放型針孔より没しても押え金が上昇しない。


【手続補正５】
【補正対象書類名】明細書
【補正対象項目名】符号の説明
【補正方法】変更
【補正の内容】
【符号の説明】
１        針板
１ａ      外爪
２        押え金
３        中爪
４        支持片
７        押え台
１０      クランク腕
１１      揺動軸
１３ａ    被係止部
１５      腕
１５ａ    係止部
１７      押上げレバー
１９      付勢部材
２５      ワイヤ
２９      リンク部材
３０      空環保持兼切断器
【手続補正書】
【提出日】平成15年10月27日(2003.10.27)
【手続補正１】
【補正対象書類名】明細書
【補正対象項目名】００１３
【補正方法】変更
【補正の内容】
【００１３】
請求項３に係る業務用洗濯方法では、
洗濯槽の動作を所定時間毎に所定時間だけ稼動させる間欠動作とし、静止時間に対する稼動時間の割合が１０％以下となるようにしている。例えば、２０秒毎に２秒以下の時間で稼動させるようなものである。これにより、所定時間毎に定期的に洗濯物を移動させるという洗濯物をほぼ静止させた状態で洗濯を行うことができ、洗濯終了後における洗濯物の収縮を有効に防止することができる。
【手続補正書】
【提出日】平成16年1月20日(2004.1.20)
【手続補正１】
【補正対象書類名】明細書
【補正対象項目名】特許請求の範囲
【補正方法】変更
【補正の内容】
【特許請求の範囲】
【請求項１】
内部に温風供給装置を有し、外部に温風を供給するホースを備えたふとん乾燥機に、前記ホースを介して装着され前記ふとん乾燥機からの温風を利用して内部に収容された乾燥物を乾燥させる衣類乾燥ケースにおいて、
該衣類乾燥ケースの底面に前記ホースの先端部が内側に突出して装着される装着穴を設け、前記底面の内側に、前記装着穴を覆い装着されたホースの先端部の突出長を規制する位置規制部材を備えたことを特徴とする衣類乾燥ケース。
【請求項２】
位置規制部材を覆い、衣類乾燥ケース内にホース先端部からの温風を吹き出す複数の開口部を有するカバーを設けたことを特徴とする請求項１記載の衣類乾燥ケース。
【請求項３】
カバーの各開口部を、衣類乾燥ケースの内周面に対向するように設けたことを特徴とする請求項２記載の衣類乾燥ケース。
【請求項４】
カバーの各開口部を、それぞれに対応する衣類乾燥ケースの内周面に対してほぼ均一な距離になるようにしたことを特徴とする請求項３記載の衣類乾燥ケース。
【請求項５】
衣類乾燥ケースの底面をほぼ矩形状に形成してカバーの各開口部を前記底面の四隅にそれぞれ対応させ、該四隅に対する距離をほぼ均一にしたことを特徴とする請求項２または３記載の衣類乾燥ケース。
【請求項６】
衣類乾燥ケースの底面を長方形状または楕円形状に形成し、カバーの開口部を前記底面の長手方向側に向けたことを特徴とする請求項２乃至４のいずれか記載の衣類乾燥ケース。
【請求項７】
装着穴を、衣類乾燥ケースの底面のほぼ中心部からずらした位置に設けたことを特徴とする請求項１乃至６のいずれか記載の衣類乾燥ケース。
【請求項８】
カバーを、非通気材料または水滴を通さない程度の通気材料により構成したことを特徴とする請求項２乃至７のいずれか記載の衣類乾燥ケース。
【請求項９】
位置規制部材を、通気材料により構成したことを特徴とする請求項１乃至８のいずれか記載の衣類乾燥ケース。
【請求項１０】
内部に温風供給装置を有し、先端部に収容された乾燥物を温風を利用して乾燥させる衣類乾燥ケースが装着されるホースを備えたふとん乾燥機において、
前記衣類乾燥ケースの底面に前記ホースの先端部が内側に突出して装着される装着穴を設け、前記ホースの先端部を側面に複数の吹出口を有する有頭筒状に形成したことを特徴とするふとん乾燥機。
【請求項１１】
ホースの先端部を、両端部に衣類乾燥ケースの内周面に温風を吹き出す吹出口を有する筒状の頭部と、該頭部のほぼ中間部に設けられて頭部と連通しホースに連結された筒状の胴部とからなる正面ほぼＴ字状に形成したことを特徴とする請求項１０記載のふとん乾燥機。
【請求項１２】
頭部の両吹出口の周縁部を胴部側に向かうにしたがって該胴部側に傾斜したことを特徴とする請求項１１記載のふとん乾燥機。
【請求項１３】
頭部の両吹出口の周縁部の下方に、切除部を設けたことを特徴とする請求項１１記載のふとん乾燥機。
【請求項１４】
衣類乾燥ケースの底面を長方形状または楕円形状に形成し、ホースの先端部の吹出口を前記衣類乾燥ケースの底面の長手方向側に向けたことを特徴とする請求項１０乃至１３のいずれか記載のふとん乾燥機。
【請求項１５】
装着穴を、衣類乾燥ケースの底面のほぼ中心部からずらした位置に設けたことを特徴とする請求項１０乃至１４のいずれか記載のふとん乾燥機。
【手続補正２】
【補正対象書類名】明細書
【補正対象項目名】０００７
【補正方法】変更
【補正の内容】
【０００７】
【課題を解決するための手段】
本発明に係る衣類乾燥ケースは、内部に温風供給装置を有し、外部に温風を供給するホースを備えたふとん乾燥機に、ホースを介して装着されふとん乾燥機からの温風を利用して内部に収容された乾燥物を乾燥させる衣類乾燥ケースにおいて、衣類乾燥ケースの底面にホースの先端部が内側に突出して装着される装着穴を設け、底面の内側に、装着穴を覆い装着されたホースの先端部の突出長を規制する位置規制部材を備えたものである。また、位置規制部材を覆い衣類乾燥ケース内にホース先端部からの温風を吹き出す複数の開口部を有するカバーを設けたものである。


【手続補正３】
【補正対象書類名】明細書
【補正対象項目名】００４３
【補正方法】変更
【補正の内容】
【００４３】
【発明の効果】
以上のように本発明に係る衣類乾燥ケースは、内部に温風供給装置を有し、外部に温風を供給するホースを備えたふとん乾燥機に、ホースを介して装着されふとん乾燥機からの温風を利用して内部に収容された乾燥物を乾燥させる衣類乾燥ケースにおいて、衣類乾燥ケースの底面にホースの先端部が内側に突出して装着される装着穴を設け、底面の内側に、装着穴を覆い装着されたホースの先端部の突出長を規制する位置規制部材を備え、位置規制部材を覆い衣類乾燥ケース内にホース先端部からの温風を吹き出す複数の開口部を有するカバーを設けたので、位置規制部材により先端部の差し込みすぎを抑えてカバーとの間に一定量の空間を有することができ、確実に温風を衣類乾燥ケース内に供給することができる。また、カバーによって乾燥物から落下した水滴のホース内への侵入を防ぐことができるとともに、衣類乾燥ケースの底面より突出した先端部によって底面に溜まった水の先端部からの侵入を防ぐことができ、ふとん乾燥機の安全性を確保することができる。さらに、複数の開口部によって先端部からの温風が真上に直進することなく衣類乾燥ケース全体に満遍なく広がって行き渡り、乾燥物を乾燥むらなく均一に乾燥でき、乾燥効率の高い衣類乾燥ケースを得ることができる。
【手続補正書】
【提出日】平成15年10月17日(2003.10.17)
【手続補正１】
【補正対象書類名】明細書
【補正対象項目名】特許請求の範囲
【補正方法】変更
【補正の内容】
【特許請求の範囲】
【請求項１】
電気的な直列端子であって、ベース端子（２）と接続コネクタ（３，４）とが設けられており、ベース端子（２）が、端子ケーシング（７）と、該端子ケーシング（７）内に配置された少なくとも１つの導体接続エレメント（８，９）と、単数の導体接続エレメント（８，９）または複数の導体接続エレメント（８，９）に電気的に接続された少なくとも２つの差込み箇所とを有しており、接続コネクタ（３，４）が、コネクタケーシング（１３，１４）と、該コネクタケーシング（１３，１４）内に配置された少なくとも１つの導体接続エレメント（１５）と、単数の導体接続エレメント（１５）または複数の導体接続エレメント（１５）に電気的に接続された１つの差込みコンタクトとを有しており、接続コネクタ（３，４）が、固定エレメントによってベース端子（２）の端子ケーシング（７）に機械的に結合されている形式のものにおいて、ベース端子（２）の端子ケーシング（７）に両差込み箇所の間でロック縦孔（１９）が設けられており、これによって、接続コネクタ（３，４）が、両差込み箇所でベース端子（２）の端子ケーシング（７）に機械的に結合可能であることを特徴とする、電気的な直列端子。
【手続補正書】
【提出日】平成15年11月13日(2003.11.13)
【手続補正１】
【補正対象書類名】明細書
【補正対象項目名】発明の名称
【補正方法】変更
【補正の内容】
【発明の名称】ヒューズ装着部の構造及びこのヒューズ装着部が形成された電気接続箱
【手続補正２】
【補正対象書類名】明細書
【補正対象項目名】特許請求の範囲
【補正方法】変更
【補正の内容】
【特許請求の範囲】
【請求項１】
絶縁ハウジングから装着方向に一対のタブ端子が突出した第１のヒューズが挿入・嵌合されるヒューズ挿入部、このヒューズ挿入部内に設けられて前記一対のタブ端子部が接続される相手側端子と、ヒューズ挿入部内に設けられて前記第１のヒューズの挿入位置を規制する第１ストッパー部とを備えたヒューズ装着部の構造であって、絶縁ハウジングの両側に一対の平板端子部がそれぞれ設けられ該平板端子部間のピッチが前記一対のタブ端子部間のピッチと同寸法とされると共に前記ヒューズ挿入部内に挿入可能な第２のヒューズの挿入位置を規制し平板端子を前記相手側端子と接続する第２ストッパー部を前記ヒューズ挿入部に設けて、ヒューズ挿入部に前記第１のヒューズ、第２のヒューズをそれぞれ装着可能としたことを特徴とするヒューズ装着部の構造。
【請求項２】
請求項１記載のヒューズ装着部の構造であって、前記第１ストッパー部が、前記ヒューズ挿入部の上部位置に設けられ、前記第２ストッパー部が、前記ヒューズ挿入部の下部位置に設けられていることを特徴とするヒューズ装着部の構造。
【請求項３】
請求項１又は請求項２記載のヒューズ装着部の構造であって、前記第１ストッパー部が、前記ヒューズ挿入部の対向する左右の内壁にそれぞれ設けられた一対のストッパー部材の上端に形成した互いに内側に向かう一対のテーパ部であり、該テーパ部に前記第１のヒューズの絶縁ハウジングに設けたテーパ部が当接することにより、前記ヒューズ挿入部に対する前記第１のヒューズの挿入位置を規制するようにしたことを特徴とするヒューズ装着部の構造。
【請求項４】
請求項１又は請求項２記載のヒューズ装着部の構造であって、前記第２ストッパー部が、前記ヒューズ挿入部内に設けられた下部壁であり、該下部壁の上端に前記第２のヒューズの絶縁ハウジングの下端縁が当接することにより、前記ヒューズ挿入部に対する前記第２のヒューズの挿入位置を規制するようにしたことを特徴とするヒューズ装着部の構造。
【請求項５】
請求項１乃至請求項４のいずれか一項に記載されたヒューズ装着部の構造が上面側に一体に形成されていることを特徴とする電気接続箱。
【手続補正３】
【補正対象書類名】明細書
【補正対象項目名】０００１
【補正方法】変更
【補正の内容】
【０００１】
【発明の属する技術分野】
本発明は、電気接続箱等のヒューズ装着部の構造に関し、さらに詳しくは異なる形状のヒューズを任意に装着することができるヒューズ装着部の構造及び及びこのヒューズ装着部が形成された電気接続箱に関する。
【手続補正４】
【補正対象書類名】明細書
【補正対象項目名】００２１
【補正方法】変更
【補正の内容】
【００２１】
そこで、本発明は、形状が異なるヒューズを任意に装着可能な互換性を有すると共にヒューズの挿入作業性を向上することができるヒューズ装着部の構造及びこのヒューズ装着部が形成された電気接続箱の提供を目的とする。


【手続補正５】
【補正対象書類名】明細書
【補正対象項目名】００２２
【補正方法】変更
【補正の内容】
【００２２】
【課題を解決するための手段】
上記課題を解決するために、請求項１記載のヒューズ装着部の構造は、絶縁ハウジングから装着方向に一対のタブ端子が突出した第１のヒューズが挿入・嵌合されるヒューズ挿入部、このヒューズ挿入部内に設けられて前記一対のタブ端子部が接続される相手側端子と、ヒューズ挿入部内に設けられて前記第１のヒューズの挿入位置を規制する第１ストッパー部とを備えたヒューズ装着部の構造であって、絶縁ハウジングの両側に一対の平板端子部がそれぞれ設けられ該平板端子部間のピッチが前記一対のタブ端子部間のピッチと同寸法とされると共に前記ヒューズ挿入部内に挿入可能な第２のヒューズの挿入位置を規制し平板端子を前記相手側端子と接続する第２ストッパー部を前記ヒューズ挿入部に設けて、ヒューズ挿入部に前記第１のヒューズ、第２のヒューズをそれぞれ装着可能としたことを特徴とする。


【手続補正６】
【補正対象書類名】明細書
【補正対象項目名】００３４
【補正方法】変更
【補正の内容】
【００３４】
従って、このヒューズ装着部の構造では、ヒューズ装着部での第２の支持バランスをより一層良くすることができる。
請求項５記載の電気接続箱では、請求項１乃至請求項４のいずれか一項に記載されたヒューズ装着部の構造が上面側に一体に形成されていることを特徴とする。
この電気接続箱では、形状が異なる第１のヒューズと第２のヒューズとを任意に装着することができ、ヒューズ装着部に互換性を持たせることが可能となる。また、ヒューズ装着部の全高を低くすることができる。さらに、ヒューズ装着部での支持バランスを良くすることができる。
【手続補正７】
【補正対象書類名】明細書
【補正対象項目名】００６１
【補正方法】変更
【補正の内容】
【００６１】
請求項４記載のヒューズ装着部の構造によれば、ヒューズ装着部での第２のヒューズの支持バランスをより一層良くすることができる。
請求項５記載の電気接続箱によれば、形状が異なる第１のヒューズと第２のヒューズとを任意に装着することができ、ヒューズ装着部に互換性を持たせることが可能となる。また、ヒューズ装着部の全高を低くすることができる。さらに、ヒューズ装着部での支持バランスを良くすることができる。
【手続補正書】
【提出日】平成15年10月31日(2003.10.31)
【手続補正１】
【補正対象書類名】明細書
【補正対象項目名】特許請求の範囲
【補正方法】変更
【補正の内容】
【特許請求の範囲】
【請求項１】
デバイスの第1の入力／出力回路を保護するように配置された第1の静電放電（ＥＳＤ）保護回路と、
前記デバイスの第２の入力／出力回路を保護するように配置された第２のＥＳＤ保護回路と、
前記第1のＥＳＤ保護回路を選択的にイネーブル／ディスエーブルとするように適合された回路とを含み、
ここで前記第1の入力／出力回路は前記デバイスを第2のデバイスに結合するように適合されている、デバイス。
【請求項２】
前記第1の入力／出力回路は、前記第2のデバイスに結合された後に、選択的にディスエーブルとされる請求項1に記載のデバイス。
【請求項３】
バッファと、
前記バッファに電気的に結合されており、選択的に電気的に前記第1のＥＳＤ保護回路に結合されるボンドパッドとを更に含み、ここで前記第1のＥＳＤ保護回路は、電気的に前記第1のＥＳＤ保護回路を前記ボンドパッドから電気的に絶縁することによって、選択的にディスエーブルとされている、請求項１に記載のデバイス。
【請求項４】
デバイスを製造する方法であって、
前記デバイスの第1の入力／出力回路を保護するように配置された第1の静電放電（ＥＳＤ）保護回路を提供するステップにおいて、前記第1の入力／出力回路は前記デバイスを第2のデバイスに結合するように適合されているステップと、
前記デバイスの第２の入力／出力回路を保護するように配置された第２のＥＳＤ保護回路を提供するステップと、
前記第1のＥＳＤ保護回路を選択的にイネーブル／ディスエーブルとするように配置された回路を前記第1の入力／出力回路に結合するステップと、を含む方法。
【請求項５】
前記第1の入力／出力回路は、前記第2のデバイスに結合された後に、選択的にディスエーブルとされる請求項４に記載の方法。
【請求項６】
電気的にボンドパッドをバッファに結合するステップと、
選択的に前記第1ＥＳＤ保護回路を電気的に前記ボンドパッドに結合するステップと、を更に含み、前記第1のＥＳＤ保護回路は、前記第1のＥＳＤ保護回路を前記ボンドパッドから電気的に絶縁することによって、選択的にディスエーブルとされる方法。
【請求項７】
第1の集積回路と、
第2の集積回路とを含むマルチチップモジュールにおいて、
第2の集積回路は、
前記第2の集積回路の第1の入力／出力回路を保護するように配置された第1の静電放電（ＥＳＤ）保護回路と、
前記第2の集積回路の第２の入力／出力回路を保護するように配置された第２のＥＳＤ保護回路と
前記第1のＥＳＤ保護回路を選択的にイネーブル／ディスエーブルとするように適合された回路とを含み、ここで前記第1の入力／出力回路は前記第2の集積回路を前記第1の集積回路に結合するように適合されている、マルチチップモジュール。
【請求項８】
前記第1の入力／出力回路は、前記第2の集積回路が前記第1の集積回路に結合された後に、選択的にディスエーブルとされる請求項７に記載のマルチチップモジュール。
【請求項９】
前記第2の集積回路は更に、
バッファと、
前記バッファに電気的に結合されており、選択的に電気的に前記第1のＥＳＤ保護回路に結合されるボンドパッドとを更に含み、ここで前記第1のＥＳＤ保護回路は、電気的に前記第1のＥＳＤ保護回路を前記ボンドパッドから電気的に絶縁することによって、選択的にディスエーブルとされている、請求項７に記載のマルチチップモジュール。
【請求項１０】
前記第2のＥＳＤ保護回路が前記マルチチップモジュールを保護する、請求項７に記載のマルチチップモジュール。
【手続補正２】
【補正対象書類名】明細書
【補正対象項目名】０００４
【補正方法】変更
【補正の内容】
【０００４】
多チップモジュール（マルチチップモジュール）技術における最近の進歩は、チップオンチップ方法であり、ここでは、能動チップは、相互接続基板よりむしろ他の能動チップにフリップチップ接合される。チップの相対サイズが許す場合は、２個以上の小型チップを大型チップに接合することができる。ロジックチップ、たとえばデジタルシグナルプロセッサは、かなり大きく、少なくとも２個の標準的なメモリチップを入れるのに十分な足跡を有する。ロジックチップ、すなわち支持チップは、リードフレームパッケージ内に収納され、したがって、より従来的なＭＣＭパッケージのボードすなわち相互接続基板がなくなる。チップオンチップパッケージ内のチップ間相互接続回路は、典型的に、支持チップの表面に構築される。これらのパッケージの組立て中、チップ上に形成された集積回路のＩ／Ｏを静電放電から保護する必要がある。


【手続補正３】
【補正対象書類名】明細書
【補正対象項目名】００１２
【補正方法】変更
【補正の内容】
【００１２】
その結果、ＥＳＤ保護構成要素は、Ｉ／Ｏ回路２０から削除するかまたは選択的に無力化することができる。前者の場合には、ＥＳＤ保護構成要素中の大きな保護構成要素を削除することができる。したがって、Ｉ／Ｏ回路２０の面積を減らすことができる。さらに、ＥＳＤ保護構成要素の容量負荷を避けることができる。ＥＳＤ保護構成要素が選択的に無力化（ディスエーブル）される場合は、Ｉ／Ｏ回路２０は、多チップモジュールの組立てに先だって保護されている。多チップが組立てられると、Ｉ／Ｏ回路２０のＥＳＤ構成要素は、選択的に無力化される。その結果、Ｉ／Ｏ回路２０の容量負荷を、集積回路５及び１０の動作中減らすことができる。いずれの場合にも、容量負荷の減少により、Ｉ／Ｏ回路は、動作的なＥＳＤ構成要素を有する典型的なＩ／Ｏ回路と比較した場合、減少した駆動レベルでまたはより高い速度でまたはその両方で動作することができる


【手続補正４】
【補正対象書類名】明細書
【補正対象項目名】００１４
【補正方法】変更
【補正の内容】
【００１４】
他の実施例では、Ｉ／Ｏ回路２０は、機能付与／無力化構成要素（イネーブル／ディスエーブル）１１０を介して接合パッド１０５に接続されたＥＳＤ保護構成要素１１５も含む。機能付与／無力化構成要素１１０は、接合パッド１０５をＥＳＤ保護構成要素１１５に電気的に接続するように働く。機能付与／無力化構成要素１１０は、接合パッド１０５とＥＳＤ保護構成要素１１５間の電気的相互接続を提供する可融リンク（ｆｕｓｅｄ  ｌｉｎｋ）とすることができる。ＥＳＤ保護構成要素１１５は、それが配置された集積回路のＥＳＤ保護を提供する。ヒューズは、レーザまたは大電流または他の周知の技術で切ることができる。集積回路における可融リンクの製作及び使用は周知であり、したがって、ここではさらに詳細には説明されない。このような従来の可融リンクは、本発明のこの実施例における使用に適している。ヒューズは、集積回路が多チップモジュールを形成するように接続される前または接続された後に切断することができる。その結果、ＥＳＤ保護構成要素１１５の容量及び抵抗負荷は、動作中Ｉ／Ｏバッファに影響を与えない。
【手続補正書】
【提出日】平成15年8月26日(2003.8.26)
【手続補正１】
【補正対象書類名】明細書
【補正対象項目名】特許請求の範囲
【補正方法】変更
【補正の内容】
【特許請求の範囲】
【請求項１】
上面を有する第一絶縁層と、
第一絶縁層上に置かれた導電部と、
第一絶縁層の上面に形成された下部導電層において、該下部導電層上に形成された誘電層上に形成された上部導電層を含む、絶縁層上のキャパシタ構造とから成る半導体デバイスであって、該下部導電層は、
上部導電層と共に電荷を蓄えるプレートと、
プレートに隣接した厚い部分と、厚い部分から伸長した薄い部分と、導電コンタクトを受け取る厚い部分上のおよび薄い部分上の面とを有するテーパランディングとから成り、さらにこの構造において、テーパランディング面から導電部に伸長した導電コンタクトを含むことを特徴とする半導体デバイス。
【請求項２】
ランディング面が平均傾斜６０度未満で、絶縁層上面をプレート方向に上がり、テーパランディング面が第一絶縁層上で終端することを特徴とする請求項１に記載のデバイス。
【請求項３】
基板と、
ボディ部分と、ボディ部分に隣接した厚い部分とこの厚い部分から伸長した薄い部分とこの厚い部分上のおよび薄い部分上の面とを有するテーパランディングとを含む、基板上に形成された部材とから成ることを特徴とする多層構造。
【請求項４】
基板は絶縁層から成り、部材は導電層であり、また、この構造においてさらに、テーパランディングを通しボディ部分への電気的接続を可能にする接続素子を含むことを特徴とする請求項６に記載の構造。
【請求項５】
基板と、
ボディ部分およびテーパランディングを有する基板上に形成された部材とから成る多層構造であって、該テーパランディングは、ボディ部分に隣接した厚い部分と、この厚い部分から伸長した薄い部分と、この厚い部分上のおよび薄い部分上の面とを有し、この面は、平均角度６０度未満で基板からボディ部分に上がるスロープを有することを特徴とする多層構造。
【請求項６】
前記部材は導電素子であり、さらに構造は、テーパランディングを通してボディ部分と電気的コンタクトを行う、該部材上に形成された層と、層内の第二導電素子とを含むことを特徴とする請求項５に記載の構造。
【請求項７】
基板は絶縁層から成り、さらに構造は、ボディ部分上の誘電層と、誘電層上の第二導電素子とを含んでいることを特徴とする請求項５に記載の構造。
【請求項８】
第一面上に材料の第一層を堆積し、
この層をパターニングしてフューチャを確定し、
この層をエッチングして、第一の厚さを有するフューチャの第一部分と、この第一部分に隣接する第二の部分を有しかつ該第二の部材が終端するまでその厚さを減じながら第一部分から離れて延びる該第二の部分とを確定することから成ることを特徴とするランディングを作り出す方法。
【請求項９】
第二部分上に第二層を形成するステップと、
第二層を通して開口部をエッチングし第二部分を露出するステップと、
第二部分に接触する開口部に材料を形成するステップとから成ることを特徴とする請求項８に記載の方法。
【請求項１０】
さらに、キャパシタ構造を確定するために、第一層上に誘電体層を形成するステップと、誘電体層上に導電層を形成するステップとを含むことを特徴とする請求項９に記載の方法。